(57)【特許請求の範囲】
【請求項１】
少なくとも１本の一方向送信チャネル及び少なくとも１本の一方向受信チャネルを有する通信装置を、２個の相補的なスイッチ形トランジスタを備える差動増幅器を有する双方向通信装置に接続する回路配置において、
上記差動増幅器の制御入力は上記送信チャネルの出力に接続され、
上記差動増幅器の出力は上記双方向通信装置に接続され、
上記２個の相補的なスイッチ形トランジスタを接続する上記差動増幅器の負帰還路は、上記受信チャネルの入力に接続され、
上記双方向通信装置に接続されたときに、当該回路配置の直流電圧／直流電流特性を調節するため、整合インピーダンスが、上記負帰還路に設けられている回路配置。
【請求項２】
少なくとも抵抗と、少なくとも抵抗及びキャパシタの並列回路とを備える直列回路が、上記整合インピーダンスを形成するため設けられていることを特徴とする請求項１記載の回路配置。
【請求項３】
上記送信チャネルから受信される伝送信号、又は、相補的な伝送信号を夫々に増幅するために、上記２個の相補的なスイッチ形トランジスタが設けられている、ことを特徴とする請求項１記載の回路配置。
【請求項４】
上記トランジスタのベース端子は、少なくとも１個の夫々の絶縁キャパシタ及びバイアス抵抗を介して上記伝送信号又は相補的な伝送信号に接続され、
上記トランジスタのコレクタ端子は、上記双方向通信装置の夫々の端子に接続され、
上記トランジスタのエミッタ端子は、上記負帰還路内の上記整合インピーダンスを介して相互接続され、
上記トランジスタのベース端子は、少なくとも１個の負帰還抵抗を介して関連したコレクタ端子に接続され、少なくとも１個の動作点抵抗を介してエミッタ端子に接続されていることを特徴とする請求項３記載の回路配置。
【請求項５】
上記整合インピーダンス、上記負帰還抵抗及び上記バイアス抵抗の大きさは、上記負帰還抵抗の上記バイアス抵抗に対する比で乗算された上記整合インピーダンスが、接続された上記双方向通信装置の自己インピーダンスに略一致するように決められることを特徴とする請求項４記載の回路配置。
【発明の詳細な説明】
【０００１】
【発明の属する技術分野】
本発明は、少なくとも１本の一方向送信チャネル及び少なくとも１本の一方向受信チャネルを有する通信装置を、少なくとも１個の差動増幅器を有する双方向通信装置に接続する回路配置に関する。
【０００２】
【従来の技術】
上記の回路配置は、特に、送信チャネル及び受信チャネルの両方のチャネルを伝送する双方向通信装置（例えば、２線式リンク）を、別個の一方向送信チャネル及び受信チャネル（例えば、４線式リンク）を有し、切り離された送信チャネル及び受信チャネルの適当な増幅を同時に実現する通信装置に分離させるハイブリッド回路を提供する。ハイブリッド回路は、通信網内で伝送路を分離させるべきいずれの場所に設けても構わない。例えば、電話網のカバレッジエリア内で、２線式リンクは、特に、コスト節約のために使用され、２方向が一対のライン上を走る。両方向でトランクライン上の信号を増幅するため、各方向毎にライン対及び増幅器を備えた４線式リンクは分離させられる。また、加入者端末をローカルネットワークに接続する必要がある場合、デバイス内部の送信及び受信（マイクロホン及びスピーカ）の方向は分離させる必要がある。
【０００３】
【発明が解決しようとする課題】
本発明の目的は、少なくとも１本の一方向送信チャネル及び少なくとも１本の一方向受信チャネルを有する通信装置を、少なくとも１個の差動増幅器を有する双方向通信装置に接続する上記のタイプの回路配置において、できる限り簡単な手段でカップリングの特性を最適化する回路配置を提供することである。
【０００４】
【課題を解決するための手段】
本発明の目的は、差動増幅器の制御入力が送信チャネルの出力に接続され、差動増幅器の出力が双方向通信装置に接続され、差動増幅器の負帰還路が受信チャネルの入力に接続され、双方向通信装置に接続されたときにこの回路配置の直流電圧／直流電流特性を調節するため整合インピーダンスが負帰還路に与えられることにより達成される。
【０００５】
本発明の特に有利な実施例を表わす好ましい実施例は、特許請求の範囲の記載並びに実施例の説明から選択され得る。
本発明の上記局面並びに他の局面は、以下の実施例の説明から理解され、解明される。
【０００６】
【発明の実施の形態】
図１は、ハイブリッド増幅器１の回路配置図である。ハイブリッド増幅器１は、端子Ａ及びＢを用いて２線式ライン（例えば、ローカルネットワーク）に接続される。２線式ラインは負荷インピーダンスＺL として表されている。負荷インピーダンスは、オーム性抵抗及びキャパシタの並列回路と、別の抵抗との直列回路によって記述してもよい。ローカルネットワークは、直流電圧源を有する電源２から給電されるので、点ＡＢ間に電位ＵL が存在し、電流ＩL が流れる。ハイブリッド増幅器１の４線側で、入力（接点Ｃ及びＤ）は、通信装置３（例えば、電話端末のベースバンド回路）の送信チャネル４に接続される。出力Ｅ及びＦは、ベースバンド回路３の受信チャネル５に接続される。
【０００７】
ハイブリッド増幅器１は、入力Ｃ及びＤの相補的な伝送信号を増幅する差動増幅器を含む。入力Ｃは、絶縁キャパシタＣ１及びバイアス抵抗Ｒ３を介して、トランジスタＱ１のベース端子に接続される。トランジスタＱ１のベース端子は、負帰還抵抗Ｒ１を介してトランジスタＱ１のコレクタ端子に接続され、コレクタ端子は点Ａで２線式ラインに接続される。また、ベース端子は、動作点抵抗Ｒ２を介してトランジスタＱ１のエミッタ端子に接続される。同様に、入力Ｄ上の相補的な伝送信号は、絶縁キャパシタＣ３及びバイアス抵抗Ｒ８を介して、トランジスタＱ２のベース端子に接続される。トランジスタＱ２のベース端子は、負帰還抵抗Ｒ７を介してコレクタ端子に接続され、動作点抵抗Ｒ６を介してエミッタ端子に接続される。トランジスタＱ２のコレクタ端子は、接地された点Ｂで２線式ラインに接続される。トランジスタＱ１のエミッタ端子は、整合インピーダンスを介して、トランジスタＱ２のエミッタ端子に接続される。整合インピーダンスは、抵抗Ｒ５及びキャパシタＣ２によって構成された並列回路と直列接続された抵抗Ｒ４を含む回路によって形成される。
【０００８】
トランジスタＱ１のエミッタ端子は出力Ｅを形成し、ベースバンド回路３の受信チャネル５の入力に接続される。受信チャネル５の第２の入力は出力Ｆに接続され、出力Ｆは抵抗Ｒ９を介して接地される。出力Ｆは、抵抗Ｒ１０を介して入力Ｃに接続され、抵抗Ｒ１１を介して入力Ｄに接続される。正確な大きさを用いることにより、受信チャネル５に対する送信チャネル４の直流クロック信号は抑えることができる。これは、端子Ｅでの接地に対する伝送信号の減衰と併せて、ハイブリッド増幅器１の側音の良好な低下を実現する。
【０００９】
２線式ライン側に供給される直流電流ＩL は、端子ＡＢに電圧変動を生じさせる。抵抗Ｒ２及びＲ６の夫々に加わる電圧がトランジスタＱ１及びＱ２の必要なベース・エミッタ電圧よりも小さい限り、端子ＡＢには、電圧
ＵAB≒ＩL ＊（Ｒ１＋Ｒ２＋Ｒ４＋Ｒ５＋Ｒ６＋Ｒ７）
が存在する。必要なベース・エミッタ電圧を上回るとき、トランジスタＱ１及びＱ２のコレクタ・エミッタ路は導通するので、電圧変化
ΔＵAB／ΔＩL ≒Ｒ４＋Ｒ５
が発生する。これにより、適当な直流電圧／直流電流特性６がハイブリッド増幅器１のために調整される。
【００１０】
図３には直流電圧／直流電流特性６が示されている。特に、特性６の種々の勾配が図３に示されている。最大電流負荷は通信装置に対し予め決められている場合が多いので、直流電流限界７が設定される。また、同図には、電源２によって供給される直流電圧の変動を表す電源特性８が示されている。特性６の漸次的な勾配が必要であり、小さい最大直流電流が許容されるとき、通信装置内の電流は、直流電流限界７に達するまで電源特性８に従って調整されないことが分かる。その場合、特性６の第３の勾配が図２に示されるようなハイブリッド増幅器内で実現され得る。図２に示されるハイブリッド増幅器に関する説明は後で補足される。
【００１１】
ハイブリッド増幅器１の影響を減衰させるため、点Ａと点Ｂの間で検出されるべき交流インピーダンス（装置インピーダンス）は２線式ラインのラインインピーダンスに適合されるべきである。交流インピーダンスは、トランジスタＱ１とＱ２のエミッタ間（抵抗Ｒ５とキャパシタＣ２の並列回路と、抵抗Ｒ４との直列回路）の整合インピーダンスの倍数である。負帰還抵抗（Ｒ１及びＲ７）のバイアス抵抗（Ｒ３及びＲ８）に対する夫々の比は、被乗数である。抵抗比が、１０％の最大偏差を有する被乗数に対応するので、この大きさは装置インピーダンスの整合を実現する。また、ハイブリッド増幅器１の相補的な設計（トランジスタＱ１及びＱ２）は、２線式ラインの端子Ａに対して４線式ラインの端子Ｃ及びＤ上で対称的な伝送信号を増幅し、同時に、同相信号除去比が得られる。
【００１２】
図２は、本発明によるハイブリッド増幅器１の他の実施例を示す図である。この実施例は、本質的に図１に示された回路配置に対応する。トランジスタＱ１及びＱ２のエミッタ間の整合インピーダンスは、複素抵抗Ｚによって表される。第１の実施例に対し補足的に、トランジスタＱ１及びＱ２のベース端子は、ツェナーダイオードＤ１に直列接続された抵抗Ｒ１２を介して相互接続される。これにより、ハイブリッド増幅器１の直流電圧／直流電流特性６は、特性６が図３に示されたような調整可能な値から逸れるように変化する。これにより、電源特性８に従って最大電流Ｉ1 の限界が達成される。その結果として、直流電流限界７は維持される。
【図面の簡単な説明】
【図１】本発明によるハイブリッド増幅器の回路構成図である。
【図２】本発明によるハイブリッド増幅器の拡張された実施例を示す図である。
【図３】関連した直流電圧／直流電流特性を表す図である。
【符号の説明】
１    ハイブリッド増幅器
２    電源
３    通信装置
４    送信チャネル
５    受信チャネル
Ａ，Ｂ    端子
Ｃ，Ｄ    入力
Ｅ，Ｆ    出力
Ｃ１，Ｃ３    絶縁キャパシタ
Ｃ２    キャパシタ
ＩL   電流
Ｒ１，Ｒ７    負帰還抵抗
Ｒ２，Ｒ６    動作点抵抗
Ｒ３，Ｒ８    バイアス抵抗
Ｒ４，Ｒ５，Ｒ９，Ｒ１０，Ｒ１１    抵抗
Ｑ１，Ｑ２    トランジスタ
ＺL   負荷インピーダンス
【図１】
0004413302.tif 000002
【図２】
0004413302.tif 000003
【図３】
0004413302.tif 000004